(57)【要約】【課題】セキュリティの要因を改良し、かつ異なる印刷技術と異なる色とを使用するための可能性を広げる方法で、証券用紙印刷に関する可能性を高めることを可能とする。【解決手段】主要な印刷作用グループを具備したウェブ供給式もしくはシート供給式の特に紙幣用紙などの証券用紙用印刷機であって、証券用紙用印刷機が付加的でかつ独立した印刷作用グループ（２０）を具備し、この付加的でかつ独立した印刷作用グループ（２０）は紙の供給方向に関して前記主要な印刷作用グループの上流に配置され、かつ紙が主要な印刷作用グループ内へ通過する前に紙の全体にわたってあらかじめ決められた少なくとも一つ色で印刷されるのを許容する。【選択図】図１
2010047019.tif 000002
【特許請求の範囲】
【請求項１】
主要な印刷作用グループ（２から１３）と紙をこれら主要な印刷作用グループ（２から１３）まで転移する転移用胴（２１、２９）とを具備したウェブ供給式もしくはシート供給式の特に紙幣用紙などの証券用紙用印刷機であって、証券用紙用印刷機が付加的でかつ独立した印刷作用グループ（２０）を具備し、該付加的でかつ独立した印刷作用グループ（２０）は紙の供給方向に関して前記主要な印刷作用グループの上流に配置され、かつ紙が主要な印刷作用グループ内へ通過する前に紙の全体にわたってあらかじめ決められた少なくとも一つ色で印刷されるのを許容しており、前記転移用胴のうちの一つ（２１）が前記付加的な印刷作用グループ（２０）の圧胴（２１）を形成することを特徴とする証券用紙用印刷機。
【請求項２】
付加的な印刷作用グループ（２０）が、それぞれがあらかじめ決められた色である二つのパターンの印刷作用を許容することを特徴とする請求項１に記載の証券用紙用印刷機。
【請求項３】
証券用紙用印刷機が少なくとも一つのインキ用乾燥ユニット（２７、２８）を具備し、該乾燥ユニットが付加的な印刷作用グループの圧胴（２１）周りに配置されることを特徴とする請求項１もしくは２に記載の証券用紙用印刷機。
【請求項４】
乾燥ユニットが紫外線放射ランプ（２７、２８）を有することを特徴とする請求項３に記載の証券用紙用印刷機。
【請求項５】
付加的な印刷作用グループ（２０）がオフセット印刷作用グループであり、該オフセット印刷作用グループが圧胴（２１）、ゴム胴（２２）、版胴（２３、２４）およびインキ着け装置（２５、２６）を有することを特徴とする請求項１から４のうちのいずれか一つに記載の証券用紙用印刷機。
【請求項６】
付加的な印刷作用グループがシルク−スクリーン印刷作用グループであることを特徴とする請求項１から４のうちのいずれか一つに記載の証券用紙用印刷機。
【請求項７】
付加的な印刷作用グループがヘリオグラフィック印刷作用グループであることを特徴とする請求項１から４のうちのいずれか一つに記載の証券用紙用印刷機。
【請求項８】
主要な印刷作用グループが紙表面−裏面同時多色オフセット印刷作用グループであり、該紙表面−裏面同時多色オフセット印刷作用グループがゴム胴の対（２、３）と、複数の版胴のグループ（４、５、６、７、８、９、１０、１１）とを有し、該複数の版胴のグループはゴム胴の周囲沿いに配置され、前記版胴のそれぞれがあらかじめ決められた色でインキ着け装置（１２、１３）によってインキ着けされ、版胴（４、５、６、７、８、９、１０、１１）からのインキ着けされたイメージをゴム胴（２、３）上で重畳するために前記ゴム胴（２、３）と相互作用することを特徴とする請求項１から７のいずれか一つに記載の証券用紙用印刷機。
【請求項９】
証券用紙用印刷機が付加的な印刷作用グループ（２０）の圧胴（２１）と主要な印刷作用グループのゴム胴（２）との間にただ一つの渡し胴（２９）を有することを特徴とする請求項８に記載の証券用紙用印刷機。
【請求項１０】
付加的な印刷作用グループ（２０）の圧胴（２１）の直径が主要な印刷作用グループのゴム胴（２）の直径の２／３に等しいことを特徴とする請求項８または９のいずれか一つに記載の証券用紙用印刷機。
【請求項１１】
主要な印刷作用グループが凹版印刷作用グループ、またはオルロフ−オフセットもしくはオルロフ−凹版の組み合わされた印刷作用グループ、もしくは光学的可変ユニットに適用されるグループであることを特徴とする請求項１から７のいずれか一つに記載の証券用紙用印刷機。
【発明の詳細な説明】
【技術分野】
【０００１】
本発明は主要な印刷作用グループを具備したウェブ供給式もしくはシート供給式の特に紙幣用紙などの証券用紙用印刷機に関する。
【背景技術】
【０００２】
そのような印刷機は先行技術で周知である。例えば欧州特許第０１３２８５８号明細書では、紙がイメージを伴って各面に印刷されるのを許容する印刷機を開示している。このイメージは複数の異なる印刷プロセス、特に「オルロフ−オフセット」として周知であるプロセスに基いてまたはオフセットプロセスに基づいて並置される色を有している。従って、「オフセット−オフセット」印刷方式では、オフセットプロセスによってシートの各面は多色の刷りを受ける。
【０００３】
周知でかつ開示されたオフセットプロセスによれば、完全なデザインは版板（ｉｍｐｒｅｓｓｉｏｎ  ｐｌａｔｅ）により担持される異なる色の部分的デザインから作製され、版板それ自体は版胴に取り付けられ、版胴は見当におけるデザインと色との重畳作用をゴム胴に許容し、次いで印刷されるべき紙がゴム胴に対して押圧される。版板の数、すなわち結果として版胴の数は、印刷されるべき多色のイメージを作製する色とデザインとの異なる数に等しい。紙表面−裏面同時印刷機の場合には、二つのゴム胴のそれぞれが多色のイメージを受けて、次いで、イメージの転移作用を目的として印刷されるべき紙は二つのゴム胴間を通過する。
【０００４】
この印刷機は、色の組み合わせの数がゴム胴の寸法およびインキ着け装置の容量に制限される特別の事実という特定の不利な点を具備する。
【０００５】
他の類似の印刷機は特許文献１に開示されている。この印刷機は「オルロフ−オフセット」として周知な方法によって紙表面−裏面同時多色印刷作用を許容する。この方法によれば、重ね胴（ｃｏｌｌｅｃｔｏｒ  ｃｙｌｉｎｄｅｒ）が、複数の色選択胴（ｃｏｌｏｒ  ｓｅｌｅｃｔｏｒ  ｃｙｌｉｎｄｅｒ）によってインキ着けされ、色選択胴の数は与えられたイメージの異なる色の数に等しい。色選択胴のそれぞれは浮き出し部を形成する刻み付けられた領域を有し、この浮き出し部は与えられた色で色付けされるべきイメージの部分を表す。次いで、色選択胴によって重ね胴に適用されるイメージは版胴を介してゴム胴に転移され、最終的にゴム胴はイメージを紙上に印刷する。従って、紙表面−裏面同時印刷作用に関しては、二つの重ね胴、各面に用いられる色選択胴と共にシートの各面の一つ、および二つのゴム胴が用いられる。この二つのゴム胴の間を紙が通過して印刷される。周知の方法では、表面もしくは裏面の刷りは異なる四つの色まで構成することができる。
【０００６】
さらに、この周知の印刷機は、紙の一面もしくは他面に付加的な色を添加するために、ゴム胴の一方もしくは他方もしくは両方同時にさえインキ着けする付加的なインキ着け装置を具備する。従って、最終的に印刷された証券用紙のセキュリティの要因が高まる。特に、この付加的なインキ着け装置は「オルロフ−オフセット」プロセスで使用される版胴と類似な版胴を具備しており、この版胴は、重ね胴から与えられた色のインキをゴム胴に転移する。付加的なインキ着け装置は、すでに所定位置にあるインキ着け装置のそばに配置され、印刷機内のゴム胴にインキを転移する。
【先行技術文献】
【特許文献】
【０００７】
【特許文献１】欧州特許第０３４３１０５号明細書
【発明の概要】
【発明が解決しようとする課題】
【０００８】
この印刷機の不利な点は、特に利用可能な色の数といった印刷の可能性の数が、ゴム胴の寸法、およびインキ着け装置の容量によって常に制限されるということである。さらに、すでに所定位置にあるゴム胴を用いることで、一つのもしくは複数の付加的な色に関して使用されうる異なる印刷技術が制限される。
【０００９】
本発明の目的は先行技術で周知な印刷機を改良することである。
さらに具体的には、本発明の目的は、例えばセキュリティの要因を改良し、かつ異なる印刷技術と異なる色とを使用するための可能性を広げる方法で、証券用紙印刷に関する可能性を高めることを可能とするウェブ供給式もしくはシート供給式の印刷機を提案することである。従って証券用紙の偽造物はより複雑にならしめられ、証券用紙の偽造を企てる人が使用しなければならない手段はますます増えることとなる。
【課題を解決するための手段】
【００１０】
一番目の発明は、主要な印刷作用グループを具備したウェブ供給式もしくはシート供給式の特に紙幣用紙などの証券用紙用印刷機であって、証券用紙用印刷機が付加的でかつ独立した印刷作用グループを具備し、この付加的でかつ独立した印刷作用グループは紙の供給方向に関して前記主要な印刷作用グループの上流に配置され、かつ紙が主要な印刷作用グループ内へ通過する前に紙の全体にわたってあらかじめ決められた少なくとも一つ色で印刷されるのを許容することを特徴とする。
【００１１】
従属請求項２から１１は本発明の特別の実施態様を画定する。
二番目の発明は、付加的な印刷作用グループが、それぞれがあらかじめ決められた色である二つのパターンの印刷作用を許容することを特徴とする一番目の発明の証券用紙用印刷機である。
【００１２】
三番目の発明は、証券用紙用印刷機が少なくとも一つのインキ用乾燥ユニットを具備し、この乾燥ユニットが付加的な印刷作用グループの圧胴周りに配置されることを特徴とする一番目の発明もしくは二番目の発明の証券用紙用印刷機である。
四番目の発明は、乾燥ユニットが紫外線放射ランプを有することを特徴とする三番目の発明の証券用紙用印刷機である。
【００１３】
五番目の発明は、付加的な印刷作用グループがオフセット印刷作用グループであり、このオフセット印刷作用グループが少なくとも一つの圧胴、ゴム胴、版胴およびインキ着け装置を有することを特徴とする一番目の発明から四番目の発明のうちのいずれか一つの証券用紙用印刷機である。
【００１４】
六番目の発明は、付加的な印刷作用グループがシルク−スクリーン印刷作用グループであることを特徴とする一番目の発明から四番目の発明のうちのいずれか一つの証券用紙用印刷機である。
【００１５】
七番目の発明は、付加的な印刷作用グループがヘリオグラフィック印刷作用グループであることを特徴とする一番目の発明から四番目の発明のうちのいずれか一つの証券用紙用印刷機である。
【００１６】
八番目の発明は、主要な印刷作用グループが紙表面−裏面同時多色オフセット印刷作用グループであり、この紙表面−裏面同時多色オフセット印刷作用グループがゴム胴の対と、複数の版胴のグループとを有し、この複数の版胴のグループはゴム胴の周囲沿いに配置され、前記版胴のそれぞれがあらかじめ決められた色でインキ着け装置によってインキ着けされ、版胴からのインキ着けされたイメージをゴム胴上で重畳するために前記ゴム胴と相互作用することを特徴とする一番目の発明から七番目の発明のいずれか一つの証券用紙用印刷機である。
【００１７】
九番目の発明は、証券用紙用印刷機が付加的な印刷作用ユニットもしくは付加的な印刷作用グループの圧胴と主要な印刷作用グループのゴム胴との間にただ一つの渡し胴を有することを特徴とする八番目の発明の証券用紙用印刷機である。
【００１８】
十番目の発明は、付加的な印刷作用グループの圧胴の直径が主要な印刷作用グループのゴム胴の直径の２／３に等しいことを特徴とする八番目の発明または九番目の発明いずれか一つの証券用紙用印刷機である。
【００１９】
十一番目の発明は、主要な印刷作用グループが凹版印刷作用グループ、またはオルロフ−オフセットもしくはオルロフ−凹版の組み合わされた印刷作用グループ、もしくは光学的可変ユニットに適用されるグループであることを特徴とする一番目の発明から七番目の発明のいずれか一つの証券用紙用印刷機である。
【００２０】
付加的な印刷作用グループは、特にオフセット印刷、シルク−スクリーン印刷もしくはヘリオグラフィック印刷（ｈｅｌｉｏｇｒａｐｈｉｃ  ｐｒｉｎｔｉｎｇ）といった周知の異なる印刷技術を使用しうる。
【００２１】
付加的な印刷作用グループはセキュリティの要素を印刷するのに使用されるのが好ましい。
さらに、付加的な印刷作用グループは、例えば紫外線放射ランプを具備する乾燥ユニットを有するのが好ましい。
【００２２】
この新しい印刷機は多数の利点を有する。すなわち、付加的な印刷作用グループは完全にモジュール式であり、それにより付加的な印刷作用グループは容易に挿入されることができるようになり、かつすでに使用されている印刷機の一部となることができるようになるという事実が言及される。さらに、付加的な印刷作用グループで使用される印刷プロセスは、先行技術で教授されるような所定位置にある印刷機ですでに使用される同一のプロセスに限定されないで、印刷プロセスの新しい組み合わせが形成される。技術および使用される手段の広がりは、偽造物の潜在的な作製作業を複雑にすることも可能である。
【００２３】
本発明がいくつかの印刷技術の組み合わせと色の数が増えたこととを許容するという事実を除くと、本発明の他の利点は、異なる複数の印刷機を必要とすることなく、単一の印刷機内で使用者が印刷プロセスの選択ができるという事実である。従って、セキュリティの要因が極めて増やされた証券用紙は単純でかつ効果的な方法により単一の通過作用で連続的に生産される。さらに、複数の異なる印刷プロセスが可能であるので、証券用紙用に使用されるインキの型はそれ自体が変更される。
【００２４】
さらに、この技術分野では、周知の印刷機にそのような付加的な印刷作用グループを添加することに対する偏見もある。これは、紙が主要な印刷装置または主要な印刷作用グループを通過するより前に先行して紙上に印刷作用を実行するのが不可能であると考えられること、および先行する付加的な印刷作用からのインキが主要な印刷作用グループの胴に転移されるという危険性が原因である。次に、生産することが極めて複雑と思われるシステムは、それゆえにコスト的に効果的ではない。それと反対に、この解決法は比較的単純な方法で全体に実施することが可能であるということ、および乾燥作用は主要な印刷作用グループの胴に対して紙からのインキの転移作用を効果的に妨げるということが実際に導出される。
【図面の簡単な説明】
【００２５】
【図１】印刷機の部分断面側面図であって、主要な印刷作用グループが例えば、紙表面−裏面同時多色オフセット印刷プロセスを使用する。
【発明を実施するための形態】
【００２６】
本発明は実施態様の記述および関係する図面によってより良く理解される。
本発明は図１の参照を伴って開示される。
紙表面−裏面同時オフセット印刷機１は、通常、印刷機の主要な印刷作用グループ内にゴム胴２、３を有しており、これらゴム胴２、３は矢印で示された方向に関して回転する。紙は多色の刷りを受けるためにゴム胴２、３間を通過する。ゴム胴２、３は版胴４、５、６、７、８、９、１０、および１１からそれぞれの色の異なるパターンを受ける。これら版胴は前記ゴム胴２、３の周辺周りに分配される。浮き出し版（ｒｅｌｉｅｆ  ｐｌａｔｅ）を担持するこれら版胴４から１１は、先行技術における通常の方法で版胴自体がインキ着け装置１２、１３によってそれぞれインキ着けされる。
【００２７】
付加的な印刷作用グループは全体が参照符号２０で示され、付加的な印刷作用グループは印刷機内の紙の運動方向に関してゴム胴２、３の上流に配置される。前述したように、この付加的な印刷作用グループは種々の通常の印刷技術、特にオフセット印刷、シルク−スクリーン印刷、もしくはヘリオグラフィック印刷を使用するよう構成されうる。開示される例では、この付加的な印刷作用グループは二つの色のオフセット印刷作用グループであり、このオフセット印刷作用グループは圧胴２１、ゴム胴２２、二つの版胴２３、２４、および二つの通常のインキ着け装置２５、２６を有する。印刷されるべきイメージが浮き上がって彫り込まれている版胴２３、２４はインキ着け装置２５、２６のローラによってインキ着けされる。次いで、インキ着けされたイメージは見当においてゴム胴２２上に転移され、さらにゴム胴２２と圧胴２１との間を通過する紙にゴム胴上の前記圧胴の圧力によって完全なイメージが転移される。
【００２８】
圧胴２１の直径と、主要な印刷作用グループのゴム胴２もしくは３のうちの一つの直径との間の比はおよそ２／３に設定されうる。そのような比によって、圧胴２１の直径が必要なランプの数により付加的な印刷部分の完全な乾燥作用を許容するのに十分に大きいこと、しかしながら圧胴２１の直径が印刷機内に取り付けられることができるよう十分に小さいことという二つの相反する状況に応ずることが可能となる。
【００２９】
従って、示された付加的な印刷作用グループは二つの版胴２３、２４によって紙の各面に一つの色の二つのパターンを添加することを可能としている。
印刷機の二つのゴム胴２、３間を通過して印刷プロセスを受ける前に、紙は乾燥装置も通過し、この乾燥装置は、圧胴２１周りに配置される例えば紫外線放射ランプ２７、２８によって形成される。この乾燥装置は新しく印刷したインキの乾燥作用を許容し、この乾燥したインキは主要な印刷作用グループによって適用されるインキとは混合しない。
【００３０】
付加的な印刷作用グループは種々の印刷プロセスの使用を許容するので、付加的な印刷作用グループは証券用紙におけるセキュリティの背景部分もしくは主要なパターン部分を同時に印刷することにも使用されることができる。
【００３１】
本発明は開示した実施態様を制限するものではなく、変更例は保護を求める範囲内にありうる。例えば、付加的な単一の色のみを紙に添加することが可能であり、もしくは変更可能には紙の各面に色を添加することが可能である。さらに、そのような付加的な印刷作用グループは印刷機内に挿入されることができ、この印刷機の主要な印刷作用グループは、開示されるようなオフセット、例えば凹版プロセス、オルロフ−オフセットおよびオルロフ−凹版のようなプロセスの組み合わせ、もしくは変更可能には光学的可変ユニットを適用するプロセス以外の印刷技術を使用する。
【符号の説明】
【００３２】
１    印刷機
２    ゴム胴
４    版胴
２０    付加的な印刷作用グループ
２２    ゴム胴
２３    版胴
【図１】
2010047019.tif 000003